(57)【要約】      （修正有）【課題】内背表紙を新たに設けることによってファイル具の表表紙部を開いてメモしようとしたとき、バインダー金具が垂直方向を保持しているファイル具を提供する。【解決手段】バインダー本体に複数個の綴じリングが併設されたリング式バインダー金具と、表表紙部１０、背表紙部１１および裏表紙部１２を有するカバー２とから構成されるファイル具１において、バインダー金具が内背表紙４に取り付けられ、内背表紙の一側端が背表紙部または裏表紙部に接合されている。【選択図】図１
2020075453.tif 000002
【特許請求の範囲】
【請求項１】
バインダー本体に複数個の綴じリングが併設されたリング式バインダー金具と、表表紙部、背表紙部および裏表紙部を有するカバーとから構成されるファイル具において、当該バインダー金具が内背表紙に取り付けられ、当該バインダー金具の外側の位置にある当該内背表紙の一側端部が当該背表紙部または当該裏表紙部に接合されていることを特徴とするファイル具。
【請求項２】
前記内背表紙は、前記バインダー金具の外形に密着して取り付けられた、円弧状の断面形状であることを特徴とする請求項１に記載のファイル具。
【請求項３】
前記バインダー金具がテコ部材を付属していることを特徴とする請求項１に記載のファイル具。
【請求項４】
前記カバーの背表紙部の厚みが表表紙部および裏表紙部の端部の厚さよりも薄いことを特徴とする請求項１に記載のファイル具。
【請求項５】
バインダー本体に複数個の綴じリングが併設されたリング式バインダー金具と、表表紙部、背表紙部および裏表紙部を有するカバーとから構成されるファイル具の製造方法において、当該バインダー金具を内背表紙に取り付ける固定工程後に、当該バインダー金具の外側の位置にある当該内背表紙の一側端部を当該背表紙部または当該裏表紙部に接合する接合工程を設けることを特徴とするファイル具の製造方法。
【請求項６】
前記内背表紙は、前記バインダー金具の外形に密着して取り付けられた、円弧状の断面形状であることを特徴とする請求項５に記載のファイル具の製造方法。
【発明の詳細な説明】
【技術分野】
【０００１】
この発明は、リング式バインダー金具を用いたファイル具に関し、特に皮革製カバーのファイル具に関する。
【背景技術】
【０００２】
リング式バインダー金具を用いたファイル具は、一般にシステム手帳など称される手帳や、ファイルノート、加除式の日記帳などとして用いられている。このリング式バインダー金具は、紙葉を綴じる複数個の綴じリング、複数個の留め穴のあるバインダー本体、更には、追加の裏座から構成される。リング式バインダー金具の種類は、カバーをバインダー本体とは別個の裏座で挟むタイプと、カバーをカシメや片ネジ式ビス等で直接バインダー本体の留め穴へ固定するタイプのものがある。
【０００３】
綴じリングの種類は、左右の綴じリング片を手でつまんで開閉するタイプのテコなし綴じリングと、綴じリングの開閉をバインダー本体の上下についているテコで操作するタイプの立てテコ綴じリングと、綴じリングを開く時だけテコで操作し、閉じるときは綴じリングを直接手でつまんで閉じるタイプの平テコ綴じリングがある。この綴じリングの開閉時は、いずれの綴じリングでも、カバーを１８０度開いた状態でバインダー本体を水平にして左右の綴じリング片を均等に開閉する。
【０００４】
リング式バインダー金具を用いたファイル具でメモを取ろうとするときは、カバーを１８０度開いて用紙群から所定のページを見開き、片手で開いたページを抑えながら他方の手でメモを書き込むのが一般的である。このような作業に適したファイル具は、従来からさまざまなものが知られている。
【０００５】
例えば、実登３００９５４３号公報（後述する特許文献１）は「表紙と背表紙と裏表紙とを一体に形成し、背表紙の内側には複数の開閉自在の綴杆からなるバインダーを設けた半硬質プラスチックからなる表紙部材と、上記バインダーの各綴杆に係合する複数の孔を片側に一列に設けた多数の紙葉からなるバインダー手帳において、上記表紙部材の表紙と裏表紙を着脱自在に挿入する挿入部をそれぞれ設けた表紙カバー部と裏表紙カバー部とを上記背表紙の表面を覆う背表紙カバー部により一体に連結した革または擬革からなるカバー部材を上記バインダー手帳に被せた挿込み式バインダー手帳」が開示されている。同公報に係る図２のバインダー手帳の展開時の正面図から、リング式バインダー金具Ｂが鳩目６により装飾板５とともに背表紙３に取り付けられていることがわかる。
【０００６】
また、特開２００６−２７２７０４号公報（後述する特許文献２）には「開閉可能なフック爪を備えたバインダーとこのバインダーに着脱可能に綴じた記事リーフおよび図形や写真を添付でき、且つ、録音と再生機能を備えたイメージリーフとからなることを特徴とした育児手帳」が開示されている。同公報に係る図２の実施例の正面図から、リング式バインダー金具８が裏表紙６の内面で背表紙７寄りに取付けられていることがわかる。
【０００７】
また、特開２００４−１７４３７号公報（後述する特許文献３）には「所定の幅を有する背表紙の両側縁に折曲自在に前表紙及び後表紙が設けられた表紙部材と、前記表紙部材における前記背表紙の内面に沿って配置され、かつ開閉自在な綴じ込み用リングを有するバインダーとを備え、前記綴じ込み用リングを開放した状態でその開放部から書類の綴じ込み孔に前記綴じ込み用リングを挿通することにより、書類を前記前表紙及び後表紙間に綴じ込むようにした書類綴じ込み用ファイルであって、前記表紙部材における前表紙の内面及び後表紙の内面に前見返し部材及び後見返し部材がそれぞれ貼り付けられ、前記両見返し部材における前記背表紙側の縁部が、前記バインダーの設置位置まで延設されて、バインダー支持領域としてそれぞれ構成されるとともに、各バインダー支持領域にバインダー支持孔がそれぞれ設けられ、前記バインダー支持孔に前記綴じ込み用リングが挿通支持されることにより、前記バインダーが前記両見返し部材を介して前記表紙部材に保持されてなることを特徴とする書類綴じ込み用ファイル」が開示されている。同公報に係る図２の書類綴じ込み用ファイルを示す断面図から、背表紙の表面を凹凸等のない平滑面に仕上げることができ、良好な美観を得ることができることがわかる。
【０００８】
また、特開２０１６−１５９４７０号公報（後述する特許文献４）には「複数の綴環および両端に留穴があるリング式金具、皮革製カバー、前記留穴と対峙する位置に立爪片が設けられている細長プレート、および前記留穴と前記立爪片が嵌着されているバインダ形式の手帳構造において、前記細長プレートは、面取り加工されたバネ性の鉄合金または銅合金からなり、前記金具の幅と長さと略同じ長さの幅と長さおよび０．８〜３．０ｍｍの厚さをもち、かつ、前記立爪片が溶接またはハンダ付けにより固着されていることを特徴とするバインダ形式の手帳構造」が開示されている。同公報に係る図１の皮革製カバーを開いた状態の斜視図から、リング式バインダー金具のバインダー本体が皮革製カバー（２）を介して断面矩形の細長プレート（７）の立爪片（８、８’）によって取り付けられていることがわかる。
【０００９】
これまでの一般的なファイル具は、カバーを閉じた状態で机の上に置くとリング式バインダー金具は横向きの状態にあるが、カバーを１８０度開いて所定のページでメモを取ろうとするとリング式バインダー金具が横行向きの状態になってしまう。メモを取るときは、カバーをさらに３６０度開いて左手で所定のページを開いたまま背表紙部面と表表紙部面とを押さえつける。そして、他方の右手で所定のページに書き込むのである。
【００１０】
しかしながら、これまでの一般的なファイル具では、バインダー本体が横向きの状態にあるため、メモを取る際にその下の用紙群の端部がバインダー本体上に乗り上がり、書きづらいという課題があった。特に綴じ込む用紙群の枚数が多くなってかさばったりすると、所定のページを開いたり書いたりするのがさらに困難になっていた。
【００１１】
また、特開２００４−１７４３７号公報（後述する特許文献３）のファイルでは、カバーを閉じた状態で机の上に置いた後、表表紙部を１８０度開くと、背表紙部からは表表紙部が３６０度開かれた状態になってしまう。綴じ込む用紙群の枚数が多くなってかさばったりすると、一般的なファイル具と同様に、所定のページを開くのが困難になる。また、背表紙部と表表紙部を片手でくっつけることができず、メモを取りづらい構造であることがわかる。しかも、このようなファイルの構造では見開きを繰り返すと、背表紙部と表表紙部の接合箇所がすぐに疲労し、実用性に耐えないことがわかる。
【先行技術文献】
【特許文献】
【００１２】
【特許文献１】実登３００９５４３号公報
【特許文献２】特開２００６−２７２７０４号公報
【特許文献３】特開２００４−１７４３７号公報
【特許文献４】特開２０１６−１５９４７０号公報
【発明の概要】
【発明が解決しようとする課題】
【００１３】
本発明のファイル具は、上記の課題に鑑み、内背表紙を新たに設けることによってファイル具の表表紙部を開いてメモしようとしたとき、バインダー金具が垂直方向を保持しているファイル具を提供する。本発明のファイル具によれば、綴じリングの開閉時にだけバインダー本体が水平方向を向く構造となるので、綴じ込む用紙群がかさばったり分厚くなったりしても、用紙群がバインダー金具の上に載ることがない。また、本発明のファイル具の製造方法は、上記の構造をもつファイル具を簡便に製造することができる方法を提供する。
【課題を解決するための手段】
【００１４】
上記課題を解決するために、本発明に係るファイル具は、バインダー本体に複数個の綴じリングが併設されたリング式バインダー金具と、表表紙部、背表紙部および裏表紙部を有するカバーとから構成されるファイル具において、当該バインダー金具が内背表紙に取り付けられ、当該バインダー金具の外側の位置にある当該内背表紙の一側端部が当該背表紙部または当該裏表紙部に接合されていることを特徴とする。
【００１５】
本発明に係るファイル具のカバーを閉じた状態から１８０度開いた状態にすると、カバーの背表紙部は１８０度開くものの、内背表紙は裏表紙部に引きずられてほぼ横向きの状態にある。このため多量の用紙群を綴じておいても、綴じリングが用紙群を引っ張らないので、これまでのように用紙群がバインダー金具の上に載ることが無い。
【００１６】
また、本発明に係るファイル具の製造方法は、バインダー本体に複数個の綴じリングが併設されたリング式バインダー金具と、表表紙部、背表紙部および裏表紙部を有するカバーとから構成されるファイル具の製造方法において、当該バインダー金具を内背表紙に取り付ける固定工程後に、当該バインダー金具の外側の位置にある当該内背表紙の一側端部を当該背表紙部または当該裏表紙部に接合する接合工程を設けることを特徴とする。
【００１７】
本発明に係るファイル具において、内背表紙はバインダー金具の外側の位置にある当該内背表紙の一側端部でカバーの背表紙部または当該裏表紙部に接合されている。このためカバーを３６０度開いたときでも、内背表紙に取り付けられたリング式バインダー金具のバインダー本体を横向きに保持することができる。
【００１８】
本発明に係るファイル具において、内背表紙はバインダー金具の外形に密着して取り付けられた、円弧状の断面形状であることが好ましい。一般的なリング式バインダー金具は、バインダー本体の裏面側が円弧状の背丸形状であり、また追加の裏座もこの裏面形状に合わせた円弧状の断面形状だからである。リング式バインダー金具に裏座を用いる場合、内背表紙は裏座をサンドイッチ状に挟み込んだ３層構造が好ましい。背隠しで加工できるからである。
【００１９】
本発明に係るファイル具において、リング式バインダー金具はテコ部材を付属していることが好ましい。綴じリングを開く場合、テコ部材を押圧するとバインダー本体が必ず水平方向に向くので、用紙群が取り出しやすくなるからである。テコ部材は平テコ式がより好ましい。
【００２０】
本発明に係るファイル具において、カバーの背表紙部の厚みが表表紙部および裏表紙部の端部の厚さよりも薄いことが好ましい。カバーの背表紙部の厚みを薄くするのは、これまでの背表紙部に内背表紙の厚さが加わるので、カバーの背表紙部の全体厚さを薄くして見た目を良くするためである。
【００２１】
また、本発明に係るファイル具の製造方法において、バインダー金具を内背表紙に取り付ける固定工程後にこの内背表紙の一側端部をカバーの背表紙部等に接合する接合工程を設けるのは、安価に多量の製品を供給できるようにするためである。
【発明の効果】
【００２２】
本発明に係るファイル具は、用紙群がバインダー金具の上に載らないので、綴じリングの直下から書き込むことができる。すなわち、これまでのシステム手帳等のファイル具よりも広い面積に書き込むことができる効果がある。また、片手でカバーのおもて表紙部と綴じリング近傍の用紙群をつかむと、内背表紙が真横を向くので、用紙群がバインダー金具上を滑らずに用紙群を押さえつけることができる効果がある。
【図面の簡単な説明】
【００２３】
【図１】本発明のファイル具の斜視図である。
【図２】本発明の内背表紙部分の一部切欠き断面図である。
【図３】従来例のリング式バインダー金具の斜視図である。
【図４】従来例のファイル具の正面図である。
【発明を実施するための形態】
【００２４】
以下、図面に基づいて、この発明の典型的な実施の形態について説明する。
なお、ここで図１は、本発明の実施形態にかかるファイル具のカバーを１８０度開いた状態を示す斜視図である。また、図２は、バインダー金具が内背表紙に取り付けられた状態を示す一部切欠き断面図である。また、図３は従来例のリング式バインダー金具の斜視図であり、図４は、従来例のファイル具のカバーを１８０度開いた状態を示す正面図である。
【００２５】
本発明の実施の形態にかかるファイル具１は、カバー２とリング式バインダー金具３と内背表紙４を備えている。リング式バインダー金具３は、図３に示すように細長いバインダー本体５に６個の綴じリング６が併設され、バインダー本体５の両端には綴じリング６を開く平テコ７が設けられている。また、リング式バインダー金具３には、バインダー本体５とは別個に、両端に閉じ爪８が立設した断面円弧状の座金９がある。カバー２は、おもて表紙部１０、背表紙部１１および裏表紙部１２からなる。
【００２６】
本発明の具体的な製造方法の１例は次のとおりである。
２枚の皮革薄片４１、４１’によって座金９をサンドイッチ状にはさみ、３層の積層構造の内背表紙４を構成する。次いで、この内背表紙４をバインダー本体５にあわせ、座金９の閉じ爪８をバインダー本体５の外方へ折り曲げてリング式バインダー金具３のついた内背表紙４を作製する。この内背表紙４にはリング式バインダー金具３と接触していない非接触部１３が設けられている。２枚の皮革薄片４１、４１’は、合成皮革、布、エラストマー、柔らかいまたは硬い合成樹脂等で代替することができる。
【００２７】
皮革製のカバー２は、背表紙部１１と裏表紙部１２の境界部１４および背表紙部１１を削って、境界部１４および背表紙部１１の厚みを薄くしている。例えば、厚さが２ｍｍのカバー２が削られて１ｍｍまで境界部１４および背表紙部１１の厚みを薄くしている。ここに厚さが２ｍｍの内背表紙４をあてがう。そして、リング式バインダー金具３を横向きの状態で内背表紙４の非接触部１３を皮革製のカバー２の境界部１４と縫合する。縫合は、接着、固着、貼着などで代替してもよく、磁力や面ファスナーなどにより半固定の方法で代替してもよい。これにより本発明のファイル具１が完成する。このファイル具１はシステム手帳である。
【００２８】
本発明のファイル具の具体的な使用方法の１例は次のとおりである。
上記のシステム手帳のファイル具１のカバー２を１８０度開き、バインダー本体５の両端にある平テコ７を両指で下方に押圧する。横向きのバインダー本体５は水平状態に保たれ、６個の綴じリング６の左右リング片６１、６１‘が解放される。
【００２９】
解放された左右リング片６１、６１’に穴あき用紙群Ｐを嵌入し、左右リング片６１、６２を閉じる。そうすると、用紙群Ｐの自重によってバインダー本体５が横向きに戻る。ところが、内背表紙４には非接触部１３が設けられているので、用紙群Ｐは自重によって非接触部１３上に整列したまま載り、バインダー本体５上に載ることはない。おもて表紙部１０は、内背表紙４と独立しているので、おもて表紙部１０を閉じても３６０度まで開いてもバインダー本体５は横向きのままである。
【００３０】
また、用紙群Ｐの一部をおもて表紙部１０とともに３６０度開いて片手で保持しても、バインダー本体５は横向きのまま用紙群Ｐが非接触部１３上に整列した状態を保つ。すなわち、他方の手で水平な用紙の最上端部から書き込むことができる。また、用紙群Ｐの一部を差し替える作業中も、残す用紙群が整列したまま残る。残った用紙群は抑える必要がないので、これまでのように、バインダー本体５上に載った用紙群がばらけることがない。
【産業上の利用可能性】
【００３１】
本発明によれば、カバーの背表紙部とは別に、リング式バインダー金具を取り付けた内背表紙を設けた。このため、簡単な構成でありながら、面積や厚さの異なる用紙群を片手でしっかり押さえつけることができるので、システム手帳だけでなく、日記帳やメモ帳など様々なファイル具に適用することができる。
【符号の説明】
【００３２】
１……ファイル具  
２……カバー  
３……リング式バインダー金具
４……内背表紙
５……バインダー本体
６、６’……綴じリング
７、７’……平テコ
８、８’……  閉じ爪
９……座金
１０……おもて表紙部
１１……背表紙部
１２……裏表紙部
１３……非接触部
１４……境界部
４１……皮革薄片
６１，６１’……左右リング片
【図１】
2020075453.tif 000003
【図２】
2020075453.tif 000004
【図３】
2020075453.tif 000005
【図４】
2020075453.tif 000006